(57)【要約】【課題】主軸の回転をより確実に阻止することができるエスカレーター非常制動装置を得る。【解決手段】駆動チェーン７が破断し、シューレバー６が回動した場合に、シューレバー６の回動に連動して回転する軸３に固定されたラチェットポール９がラチェットホイール１０に噛み合うエスカレーター非常制動装置であって、シューレバー６の回動に連動して変位するおもり支持部材１１２と、おもり支持部材１１２に支持された補助用おもり１１３とを備え、補助用おもり１１３は、おもり支持部材１１２が変位し、おもり支持部材１１２による補助用おもり１１３の支持が解除された場合に、ラチェットポール９がラチェットホイール１０に噛み合う方向にシューレバー６を押す。【選択図】図２
2018197142.tif 000002
【特許請求の範囲】
【請求項１】
駆動チェーンが破断し、シューレバーが回動した場合に、前記シューレバーの回動に連動して回転する軸に固定されたラチェットポールがラチェットホイールに噛み合うエスカレーター非常制動装置であって、
前記シューレバーの回動に連動して変位するおもり支持部材と、
前記おもり支持部材に支持された補助用おもりと
を備え、
前記補助用おもりは、前記おもり支持部材が変位し、前記おもり支持部材による前記補助用おもりの支持が解除された場合に、前記ラチェットポールが前記ラチェットホイールに噛み合う方向に前記シューレバーを押すエスカレーター非常制動装置。
【請求項２】
前記おもり支持部材の長手方向一端部に接続された第１回動軸をさらに備え、
前記補助用おもりは、前記おもり支持部材の長手方向他端部に接続され、
前記おもり支持部材は、前記シューレバーの回動に連動して、前記第１回動軸を中心に回動する請求項１に記載のエスカレーター非常制動装置。
【請求項３】
前記シューレバーに支持され、前記おもり支持部材を支持するおもり押え部材をさらに備え、
前記シューレバーが回動した場合に、前記シューレバーによる前記おもり押え部材の支持が解除され、前記おもり押え部材による前記おもり支持部材の支持が解除されることによって、前記おもり支持部材が変位し、前記おもり支持部材による前記補助用おもりの支持が解除される請求項１または請求項２に記載のエスカレーター非常制動装置。
【請求項４】
前記おもり押え部材の長手方向中間部に接続された第２回動軸をさらに備え、
前記おもり押え部材が前記第２回動軸を中心に回動することによって、前記おもり押え部材による前記おもり支持部材の支持が解除される請求項３に記載のエスカレーター非常制動装置。
【請求項５】
前記第２回動軸を中心に前記おもり押え部材が回動する方向の力を前記おもり押え部材に発生させる付勢部材をさらに備えた請求項４に記載のエスカレーター非常制動装置。
【発明の詳細な説明】
【技術分野】
【０００１】
この発明は、駆動チェーンが破断した場合に主軸の回転を阻止するエスカレーター非常制動装置に関する。
【背景技術】
【０００２】
従来、制動機梁に固定されたブラケットに回動可能に支持された軸と、軸の一端部に設けられたシューレバーと、シューレバーに支持され、駆動チェーンに載せられるシューと、軸の他端部に設けられ、軸が回動することによって、ラチェットホイールに噛み合う噛合位置とラチェットホイールから離れる解除位置との間で変位するラチェットポールとを備えたエスカレーター非常制動装置が知られている。駆動チェーンが破断した場合に、シューが自重によって降下して、シューレバーが軸を中心に回動する。これによって、軸が回動して、ラチェットポールが解除位置から噛合位置に変位する。その結果、ラチェットホイールの回転が停止され、回転することによって踏段が循環移動する主軸の回転が阻止される（例えば、特許文献１参照）。
【先行技術文献】
【特許文献】
【０００３】
【特許文献１】特開２０１１−２０１６１１号公報
【発明の概要】
【発明が解決しようとする課題】
【０００４】
しかしながら、軸に供給された油が減少することによって、制動機梁に対する軸の回動が円滑にできない場合には、駆動チェーンが破断した場合であっても、ラチェットポールが解除位置から噛合位置に変位することができず、ラチェットホイールの回転を停止させることができない。その結果、主軸の回転を阻止することができないという問題点があった。
【０００５】
この発明は、上述のような課題を解決するためになされたものであり、その目的は、主軸の回転をより確実に阻止することができるエスカレーター非常制動装置を提供するものである。
【課題を解決するための手段】
【０００６】
この発明に係るエスカレーター非常制動装置は、駆動チェーンが破断し、シューレバーが自重によって回動した場合に、シューレバーの回動に連動して回転する軸に固定されたラチェットポールがラチェットホイールに噛み合うエスカレーター非常制動装置であって、シューレバーの回動に連動して変位するおもり支持部材と、おもり支持部材に支持された補助用おもりとを備え、補助用おもりは、おもり支持部材が変位し、おもり支持部材による補助用おもりの支持が解除された場合に、ラチェットポールがラチェットホイールに噛み合う方向にシューレバーを押す。
【発明の効果】
【０００７】
この発明に係るエスカレーター非常制動装置によれば、補助用おもりは、おもり支持部材が変位し、おもり支持部材による補助用おもりの支持が解除された場合に、ラチェットポールがラチェットホイールに噛み合う方向にシューレバーを押すので、ラチェットホイールの回転をより確実に停止させることができる。その結果、主軸の回転をより確実に阻止することができる。
【図面の簡単な説明】
【０００８】
【図１】この発明の実施の形態１に係るエスカレーター非常制動装置を示す正面図である。
【図２】図１のエスカレーター非常制動装置を示す側面図である。
【図３】図２の駆動チェーンが破断した場合のエスカレーター非常制動装置の動作を説明する図である。
【図４】この発明の実施の形態２に係るエスカレーター非常制動装置を示すブロック図である。
【発明を実施するための形態】
【０００９】
実施の形態１．
図１はこの発明の実施の形態１に係るエスカレーター非常制動装置を示す正面図、図２は図１のエスカレーター非常制動装置を示す側面図である。図において、この発明の実施の形態１に係るエスカレーター非常制動装置は、図示しない主枠に固定された制動機梁１と、制動機梁１に固定された複数のブラケット２と、複数のブラケット２に渡って設けられ、それぞれのブラケット２に回動可能に支持された軸３とを備えている。軸３は、主枠の幅方向に延びて配置されている。
【００１０】
また、このエスカレーター非常制動装置は、軸３の長手方向一端部に固定された角度調整用ブラケット４と、角度調整用ブラケット４にボルト５を用いて取り付けられたシューレバー６と、シューレバー６に支持され、駆動チェーン７に載せられるシュー８と、軸３の長手方向他端部に固定されたラチェットポール９と、図示しない主軸とともに回転するラチェットホイール１０とを備えている。
【００１１】
角度調整用ブラケット４に対するシューレバー６の取付角度は、任意に調整可能となっている。シューレバー６は、ボルト５が角度調整用ブラケット４およびシューレバー６から取り外されることによって、角度調整用ブラケット４から取り外される。ラチェットポール９の変位を点検する場合には、角度調整用ブラケット４からシューレバー６が取り外される。
【００１２】
ラチェットポール９は、軸３が回動することによって、ラチェットホイール１０に噛み合う噛合位置と、ラチェットホイール１０から離れる解除位置との間で変位する。ラチェットポール９の位置が噛合位置である場合に、ラチェットホイール１０の回動が停止され、主軸の回転が阻止される。その結果、図示しない踏段の循環移動が停止される。一方、ラチェットポール９の位置が解除位置である場合に、ラチェットホイール１０は、主軸とともに回転可能である。その結果、踏段は、循環移動が可能となる。
【００１３】
シューレバー６が軸３を中心に回動することによって、ラチェットポール９は噛合位置と解除位置との間で変位する。シュー８は、駆動チェーン７が破断した場合に、駆動チェーン７に支持されなくなる。これにより、シュー８は自重によって降下する。シュー８が降下すると、シューレバー６は軸３を中心に回動する。シュー８の降下にともなってシューレバー６とともに軸３が回動すると、ラチェットポール９は解除位置から噛合位置に変位する。これにより、踏段の循環移動が停止される。
【００１４】
また、このエスカレーター非常制動装置は、駆動チェーン７が破断した場合にシューレバー６の回動を補助する回動補助装置１１をさらに備えている。回動補助装置１１は、支持装置である駆動機筐体１２に設けられた第１回動軸１１１と、第１回動軸１１１に設けられた棒形状のおもり支持部材１１２と、おもり支持部材１１２に設けられた補助用おもり１１３とを備えている。おもり支持部材１１２の長手方向一端部に第１回動軸１１１が接続されている。おもり支持部材１１２の長手方向他端部に補助用おもり１１３が固定されている。したがって、おもり支持部材１１２が第１回動軸１１１を中心に回動することによって、補助用おもり１１３が第１回動軸１１１を中心に回動する。
【００１５】
また、回動補助装置１１は、駆動機筐体１２に設けられた第２回動軸１１４と、第２回動軸１１４に設けられた棒形状のおもり押え部材１１５と、一端部が駆動機筐体１２に接続され、他端部がおもり押え部材１１５に接続された付勢部材である引張ばね１１６とを備えている。おもり押え部材１１５の長手方向一端部は、シューレバー６に載せられている。おもり押え部材１１５の長手方向他端部には、おもり支持部材１１２の長手方向中間部が載せられている。
【００１６】
おもり押え部材１１５の長手方向一端部には、内周面が湾曲した溝１１５ａが形成されている。おもり押え部材１１５の長手方向他端部には、内周面が湾曲した溝１１５ｂが形成されている。
【００１７】
また、回動補助装置１１は、シューレバー６に設けられたピン６ａと、おもり支持部材１１２に設けられたピン１１２ａとをさらに備えている。おもり押え部材１１５の長手方向一端部がシューレバー６に載せられている場合に、ピン６ａは、溝１１５ａに挿入される。溝１１５ａの内周面は、ピン６ａに対して滑りやすい材料から構成されている。なお、溝１１５ａの内周面には、ピン６ａが溝１１５ａ内を移動しやすいように、複数のローラが設けられてもよい。おもり押え部材１１５の長手方向他端部におもり支持部材１１２の長手方向中間部が載せられている場合に、ピン１１２ａは、溝１１５ｂに挿入される。溝１１５ｂの内周面は、ピン１１２ａに対して滑りやすい材料から構成されている。なお、溝１１５ｂの内周面には、ピン１１２ａが溝１１５ｂ内を移動しやすいように、複数のローラが設けられてもよい。
【００１８】
引張ばね１１６は、第２回動軸１１４を中心におもり押え部材１１５が回動する方向の力をおもり押え部材１１５に発生させる。
【００１９】
次に、このエスカレーター非常制動装置の動作について説明する。図３は図２の駆動チェーン７が破断した場合のエスカレーター非常制動装置の動作を説明する図である。駆動チェーン７が破断すると、駆動チェーン７に載せられたシュー８が駆動チェーン７に支持されなくなるので、シュー８が自重によって降下する。これにより、シューレバー６が軸３を中心に回動する。シューレバー６が軸３を中心に回動すると、シューレバー６がおもり押え部材１１５の長手方向一端部から離れる。言い換えれば、ピン６ａが溝１１５ａから抜かれる。
【００２０】
シューレバー６がおもり押え部材１１５の長手方向一端部から離れると、引張ばね１１６によって、おもり押え部材１１５が第２回動軸１１４を中心に回動する。おもり押え部材１１５が回動する方向は、おもり押え部材１１５の長手方向他端部が第１回動軸１１１から離れる方向であり、図３の矢印Ａの方向である。
【００２１】
おもり押え部材１１５が第２回動軸１１４を中心に回動すると、おもり押え部材１１５の長手方向他端部がおもり支持部材１１２から離れる。言い換えれば、ピン１１２ａが溝１１５ｂから抜かれる。これにより、おもり支持部材１１２は、第１回動軸１１１を中心に回動する。おもり支持部材１１２が回動する方向は、おもり支持部材１１２の長手方向他端部が降下する方向であり、図３の矢印Ｂの方向である。
【００２２】
おもり支持部材１１２が第１回動軸１１１を中心に回動すると、補助用おもり１１３が降下し、補助用おもり１１３がシューレバー６に上方から当たる。言い換えれば、補助用おもり１１３は、ラチェットポール９がラチェットホイール１０に噛み合う方向にシューレバー６を押す。これにより、シューレバー６の回動が補助される。その結果、軸３がより確実に回動し、ラチェットポール９がより確実に解除位置から噛合位置に変位する。
【００２３】
次に、このエスカレーター非常制動装置の保守点検の方法について説明する。ここでは、回動補助装置１１を用いることなく、ラチェットポール９が解除位置から噛合位置に変位することを点検する方向について説明する。まず、おもり支持部材１１２が第１回動軸１１１を中心に回動することを阻止するために、図示しないピンを駆動機筐体１２に固定する。このピンは、おもり支持部材１１２の長手方向中間部がピンに支持されるように配置される。
【００２４】
その後、シューレバー６を角度調整用ブラケット４から取り外す。これにより、角度調整用ブラケット４が自重によって軸３を中心に回動し、軸３が回動する。軸３が回動することによって、ラチェットポール９が解除位置から噛合位置に変位する。その結果、ラチェットホイール１０の回転が阻止され、主軸の回転が阻止される。
【００２５】
以上説明したように、この発明の実施の形態１に係るエスカレーター非常制動装置によれば、シューレバー６の回動に連動して変位するおもり支持部材１１２と、おもり支持部材１１２に支持された補助用おもり１１３とを備え、補助用おもり１１３は、おもり支持部材１１２が変位し、おもり支持部材１１２による補助用おもり１１３の支持が解除された場合に、ラチェットポール９がラチェットホイール１０に噛み合う方向にシューレバー６を押すので、ラチェットホイール１０の回転をより確実に停止させることができる。その結果、主軸の回転をより確実に阻止することができる。
【００２６】
また、このエスカレーター非常制動装置は、おもり支持部材１１２の長手方向一端部に接続された第１回動軸１１１をさらに備え、補助用おもり１１３は、おもり支持部材１１２の長手方向他端部に接続され、おもり支持部材１１２は、シューレバー６の回動に連動して、第１回動軸１１１を中心に回動するので、簡単な構成で、補助用おもり１１３がシューレバー６を押すことができる。
【００２７】
また、このエスカレーター非常制動装置は、シューレバー６に支持されおもり支持部材１１２を支持するおもり押え部材１１５をさらに備え、シューレバー６が回動した場合に、シューレバー６によるおもり押え部材１１５の支持が解除され、おもり押え部材１１５によるおもり支持部材１１２の支持が解除されることによって、おもり支持部材１１２が変位し、おもり支持部材１１２による補助用おもり１１３の支持が解除されるので、簡単な構成で、補助用おもり１１３がシューレバー６を押すことができる。
【００２８】
また、このエスカレーター非常制動装置は、おもり押え部材１１５の長手方向中間部に接続された第２回動軸１１４をさらに備え、おもり押え部材１１５が第２回動軸１１４を中心に回動することによって、おもり押え部材１１５によるおもり支持部材１１２の支持が解除されるので、簡単な構成で、おもり支持部材１１２を回動させることができる。
【００２９】
また、このエスカレーター非常制動装置は、第２回動軸１１４を中心におもり押え部材１１５が回動する方向の力をおもり押え部材１１５に発生させる引張ばね１１６をさらに備えているので、より確実に、おもり押え部材１１５を回動させることができる。
【００３０】
実施の形態２．
図４はこの発明の実施の形態２に係るエスカレーター非常制動装置を示すブロック図である。この発明の実施の形態２に係るエスカレーター非常制動装置は、補助用おもり１１３の回動を検出するおもり回動検出装置１１７と、ラチェットポール９の回動を検出するポール回動検出装置１１８と、おもり回動検出装置１１７の検出結果およびポール回動検出装置１１８の検出結果に基づいて、外部である情報センタに発報する発報装置１１９とをさらに備えている。
【００３１】
おもり回動検出装置１１７は、駆動機筐体１２に取り付けられている。おもり回動検出装置１１７は、おもり支持部材１１２の回動を検出することによって、補助用おもり１１３の回動を検出する。なお、おもり回動検出装置１１７は、おもり支持部材１１２を介さずに補助用おもり１１３の回動を直接検出してもよい。
【００３２】
ポール回動検出装置１１８は、制動機梁１に取り付けられている。ポール回動検出装置１１８は、軸３の回動を検出することによって、ラチェットポール９の回動を検出する。なお、ポール回動検出装置１１８は、角度調整用ブラケット４、シューレバー６またはシュー８の回動を介してラチェットポール９の回動を検出してもよい。また、ポール回動検出装置１１８は、軸３の回動を介さずにラチェットポール９の回動を直接検出してもよい。その他の構成は、実施の形態１と同様である。
【００３３】
次に、このエスカレーター非常制動装置の動作について説明する。ここでは、駆動チェーン７が破断していない場合であって補助用おもり１１３が回動した場合について説明する。エスカレーターに振動などが発生して、おもり押え部材１１５の長手方向一端部がシューレバー６から離れる場合が考えられる。この場合、駆動チェーン７が破断していないので、ラチェットポール９の位置は解除位置のままである。
【００３４】
おもり押え部材１１５の長手方向一端部がシューレバー６から離れると、おもり押え部材１１５が第２回動軸１１４を中心に回動する。これにより、おもり押え部材１１５の長手方向他端部がおもり支持部材１１２から離れ、おもり支持部材１１２が第１回動軸１１１を中心に回動する。その結果、補助用おもり１１３が降下し、補助用おもり１１３がシューレバー６に上方から当たる。この場合、シューレバー６と駆動チェーン７との間に発生する摩擦力は、補助用おもり１１３が回動しない場合と比較して大きくなる。
【００３５】
発報装置１１９は、おもり回動検出装置１１７が補助用おもり１１３の回動を検出し、かつ、ポール回動検出装置１１８がラチェットポール９の回動を検出しない場合に、情報センタに発報する。情報センタに発報された場合には、保守作業者が補助用おもり１１３をシューレバー６から離し、補助用おもり１１３の位置を元の位置に戻す。これにより、シューレバー６と駆動チェーン７との間に発生する摩擦力が大きくなった状態の期間を短くすることができる。
【００３６】
以上説明したように、この発明の実施の形態２に係るエスカレーター非常制動装置によれば、補助用おもり１１３の回動を検出するおもり回動検出装置１１７と、ラチェットポール９の回動を検出するポール回動検出装置１１８と、おもり回動検出装置１１７の検出結果およびポール回動検出装置１１８の検出結果に基づいて、外部である情報センタに発報する発報装置１１９とをさらに備えているので、エスカレーター非常制動装置の誤作動の期間を短くすることができる。
【００３７】
なお、上記実施の形態２では、おもり回動検出装置１１７の検出結果およびポール回動検出装置１１８の検出結果に基づいて、外部である情報センタに発報する構成について説明したが、おもり回動検出装置１１７の検出結果およびポール回動検出装置１１８の検出結果に基づいて、エスカレーターの運転を停止させる構成であってもよい。
【００３８】
また、各上記実施の形態では、シューレバー６がおもり押え部材１１５の長手方向一端部から離れた場合におもり押え部材１１５が回動する方向が、おもり押え部材１１５の長手方向他端部が第１回動軸１１１から離れる方向である構成について説明したが、おもり押え部材１１５の長手方向他端部が第１回動軸１１１に近づく方向である構成であってもよい。
【００３９】
また、各上記実施の形態では、補助用おもり１１３がシューレバー６に接触しながらシューレバー６を押す構成について説明したが、これに限らず、補助用おもり１１３が角度調整用ブラケット４またはシュー８に接触し、角度調整用ブラケット４またはシュー８を介してシューレバー６を押す構成であってもよい。
【００４０】
また、各上記実施の形態では、回動補助装置１１が取り付けられる支持装置が駆動機筐体１２である構成について説明したが、これに限らず、例えば、支持装置は主枠の壁であってもよい。
【００４１】
また、各上記実施の形態では、おもり押え部材１１５が回動する方向の力をおもり押え部材１１５に発生させる付勢部材として引張ばね１１６を例に説明したが、これに限らず、例えば、圧縮ばねであってもよい。
【００４２】
また、各上記実施の形態では、おもり押え部材１１５の変位にともなっておもり支持部材１１２および補助用おもり１１３が変位する構成について説明したが、これに限らず、シューレバー６の変位にともなっておもり支持部材１１２および補助用おもり１１３が変位する構成であればよい。
【符号の説明】
【００４３】
１  制動機梁、２  ブラケット、３  軸、４  角度調整用ブラケット、５  ボルト、６  シューレバー、６ａ  ピン、７  駆動チェーン、８  シュー、９  ラチェットポール、１０  ラチェットホイール、１１  回動補助装置、１２  駆動機筐体（支持装置）、１１１  第１回動軸、１１２  おもり支持部材、１１２ａ  ピン、１１３  補助用おもり、１１４  第２回動軸、１１５  おもり押え部材、１１５ａ、１１５ｂ  溝、１１６  引張ばね（付勢部材）、１１７  おもり回動検出装置、１１８  ポール回動検出装置、１１９  発報装置。
【図１】
2018197142.tif 000003
【図２】
2018197142.tif 000004
【図３】
2018197142.tif 000005
【図４】
2018197142.tif 000006